(57)【要約】【課題】重い商品を収納しても、安定して持ち運べるようにする。【解決手段】各一対の側板１及び端板２を角筒状に連設して底面を閉じ、一対の側板１の上端にそれぞれ蓋板７及び取手板８を順次連設すると共に、端板２の上端に係止板９を連設し、蓋板７を閉じて、起立させた取手板８同士を突き合わせ、取手板８の肩部１１を係止板９に設けた上下方向のスリット１３に差し込んで、蓋板７及び取手板８を係止固定する取手付き包装箱において、前記取手板８の肩部１１にロック片１２を突設し、その基部にヒンジ線１２ａを入れ、スリット１３の上部に、側方へ向けてロック切込１４を入れ、各取手板８のロック片１２を、ヒンジ線１２ａに沿って折り曲げた状態で、ロック切込１４に差し込み、弾性で復元させると、ロック片１２がロック切込１４から抜け止めされ、蓋板７及び取手板８が係止固定されるようにする。【選択図】図４
2014118207.tif 000002
【特許請求の範囲】
【請求項１】
各一対の側板(1)及び端板(2)を角筒状に連設して底面を閉じ、一対の側板(1)の上端にそれぞれ蓋板(7)及び取手板(8)を順次連設すると共に、端板(2)の上端に係止板(9)を連設し、蓋板(7)を閉じて、起立させた取手板(8)同士を突き合わせ、取手板(8)の肩部(11)を係止板(9)に設けた上下方向のスリット(13)に差し込んで、蓋板(7)及び取手板(8)を係止固定する取手付き包装箱において、前記取手板(8)の肩部(11)にロック片(12)を突設し、その基部にヒンジ線(12a)を入れ、係止板(9)のスリット(13)の上部に、側方へ向けてロック切込(14)を入れ、各取手板(8)のロック片(12)を、ヒンジ線(12a)に沿って折り曲げた状態で、ロック切込(14)に差し込み、弾性で復元させると、ロック片(12)がロック切込(14)から抜け止めされて、蓋板(7)及び取手板(8)が係止固定されるようにしたことを特徴とする取手付き包装箱。
【発明の詳細な説明】
【技術分野】
【０００１】
この発明は、物品収納部と一体化した取手を有する包装箱に関するものである。
【背景技術】
【０００２】
商品を手軽に持ち運べるようにした取手付きの厚紙製包装箱として、下記特許文献１には、図７に示すようなものが記載されている。
【０００３】
この包装箱は、各一対の側板５１及び端板５２を角筒状に連設して底面を閉じ、一対の側板５１の上端にそれぞれ蓋板５３及び取手板５４を順次連設すると共に、端板５２の上端に係止板５５を連設し、蓋板５３を閉じて、起立させた取手板５４同士を突き合わせ、取手板５４の両肩部５６を係止板５５に入れた上下方向のスリット５７に差し込んで、蓋板５３及び取手板５４を係止固定するものである。
【０００４】
取手板５４の肩部５６の上縁には、突起部５８が形成され、係止板５５のスリット５７の上部には、突起部５８より上方まで切目を入れて揺動片５９が形成されている。揺動片５９は、上端のヒンジ線５９ａを軸として揺動自在とされている。
【０００５】
蓋板５３と取手板５４との係止固定に際しては、揺動片５９が突起部５８を乗り越えるようにするだけで、肩部５６と揺動片５９とが係合し、商品を取り出す際には、揺動片５９を押し上げて、肩部５６との係合を解除するだけで、蓋板５３を容易に開けられる。
【先行技術文献】
【特許文献】
【０００６】
【特許文献１】特許第３３３９５７６号公報
【発明の概要】
【発明が解決しようとする課題】
【０００７】
しかしながら、上記のような包装箱では、閉じた蓋板５３が若干浮き上がった状態となって、箱内の商品と蓋板５３との間に隙間が生じ、特に、重量のある瓶ビール等の商品を収納して持ち上げると、この隙間が大きくなる傾向がある。
【０００８】
そして、この隙間が大きくなると、運搬時に商品と取手板５４の動きにずれが生じて、取手板５４と係止板５５の係合部分が破れやすくなる。
【０００９】
そこで、この発明は、重い商品を収納しても、商品と蓋板との間に隙間が生じることがなく、安定して持ち運べるようにすることを課題とする。
【課題を解決するための手段】
【００１０】
上記のような課題を解決するため、この発明では、各一対の側板及び端板を角筒状に連設して底面を閉じ、一対の側板の上端にそれぞれ蓋板及び取手板を順次連設すると共に、端板の上端に係止板を連設し、蓋板を閉じて、起立させた取手板同士を突き合わせ、取手板の肩部を係止板に設けた上下方向のスリットに差し込んで、蓋板及び取手板を係止固定する取手付き包装箱において、前記取手板の肩部にロック片を突設し、その基部にヒンジ線を入れ、係止板のスリットの上部に、側方へ向けてロック切込を入れ、各取手板のロック片を、ヒンジ線に沿って折り曲げた状態で、ロック切込に差し込み、弾性で復元させると、ロック片がロック切込から抜け止めされて、蓋板及び取手板が係止固定されるようにしたのである。
【発明の効果】
【００１１】
この発明に係る取手付き包装箱では、ロック切込に差し込んだロック片の復元により、蓋板と取手板とを係止するので、係止板のスリットを、取手板の肩部上端の高さより上方まで切り込む必要がなく、閉じた蓋板の浮き上がりを防止して、商品と蓋板との間に隙間が生じないようにすることができる。
【００１２】
このため、運搬時に取手板の動きに商品が追随し、重い商品を収納しても、取手板と係止板の係合部分に破れが生じにくく、安定して持ち運ぶことができる。
【図面の簡単な説明】
【００１３】
【図１】この発明の実施形態に係る取手付き包装箱のブランクを示す図
【図２】同上の係止板を示す拡大図
【図３】同上の包装箱の組立過程を示す斜視図
【図４】同上の組立状態を示す斜視図
【図５】同上の取手板と係止板の係合部を示す拡大斜視図
【図６】同上の係止板の他形態を示す拡大図
【図７】従来の取手付き包装箱の組立状態を示す斜視図
【発明を実施するための形態】
【００１４】
以下、この発明の実施形態を添付図面に基づいて説明する。
【００１５】
この取手付き包装箱は、瓶ビール等の商品の包装に使用する板紙製のものであり、図１に示すようなブランクから形成される。
【００１６】
このブランクでは、各一対の側板１及び端板２が交互に連設され、一方の側板１の外側に継代片３が連設されている。側板１及び端板２の下端には、組立時に底壁４を構成する底板５，６がそれぞれ連設されている。
【００１７】
側板１の上端には、それぞれ蓋板７及び取手板８が順次連設され、端板２の上端には、係止板９が連設されている。
【００１８】
取手板８には、取手穴１０を形成する切目線が入れられている。各取手板８の取手穴１０を形成する切目線の内部には、蓋板７から延びる蓋重片７ａ及び取手板８から延びる握持片８ａがそれぞれ設けられている。
【００１９】
取手板８の両側の肩部１１には、上方へ向けて小片状のロック片１２が突設され、その下端にヒンジ線１２ａとなる押罫が入れられている。ロック片１２の先端角部は、外側が内側よりも、曲率半径の大きい弧状に切断された形状とされている。
【００２０】
係止板９には、図２に示すように、端板２との境界である下端から上方へ向けてスリット１３が設けられている。スリット１３の上部には、両側斜め下方へ向けて，スリット１３より幅が広いロック切込１４が入れられている。
【００２１】
このブランクを組み立てて商品を包装する際には、図３に示すように、各一対の側板１及び端板２を境界の罫線に沿って角筒状に折り曲げ、継代片３を反対側の端板２に貼り付け、底壁４を形成して底面を閉止する。
【００２２】
そして、天面が開口した状態で、箱内に上方から商品を収納し、一対の側板１から延びる蓋板７を内側水平方向へ折り曲げて閉じると共に、蓋重片７ａを取手穴１０を介して反対側の蓋板７の上面に重ね、起立させた取手板８同士を突き合わせ、取手板８の両肩部１１を係止板９のスリット１３に差し込む。
【００２３】
続いて、各取手板８のロック片１２を、ヒンジ線１２ａに沿って折り曲げた状態で、ロック切込１４に差し込む。このとき、各取手板８のロック片１２は、図示のように、２枚同じ方向へ折り曲げて、一方のロック切込１４に差し込むようにしてもよいが、相反方向へ折り曲げて、両側のロック切込１４にそれぞれ差し込むようにしてもよい。
【００２４】
その後、図４及び図５に示すように、ロック片１２を弾性で復元させると、ロック片１２がロック切込１４から抜け止めされて、蓋板７及び取手板８がそれぞれ水平及び垂直となった状態で係止固定される。
【００２５】
このように組み立てた包装箱を持ち運ぶ際には、握持片８ａを取手穴１０に押し込むように折り曲げると、取手穴１０の上縁に直接手が当たらなくなるので、商品が重くても、手に痛みを感じにくくなる。
【００２６】
上記のような取手付き包装箱では、ロック切込１４に差し込んだロック片１２の復元により、蓋板７と取手板８とを係止するので、スリット１３を、肩部１１の上端の高さより上方まで切り込む必要がなく、閉じた蓋板７の浮き上がりを防止して、商品と蓋板７との間に隙間が生じないようにすることができる。
【００２７】
このため、運搬時に取手板８の動きに商品が追随し、重い商品を収納しても、取手板８と係止板９の係合部分に破れが生じにくく、安定して持ち運ぶことができる。
【００２８】
なお、上記実施形態では、係止板９に入れるロック切込１４を、スリット１３の上部から両側斜め下方へ向かう幅の広いものとしたが、ロック切込１４は、図６に示すように、スリット１３の上部から両側へ水平に延びる細い切目線等、様々な方向、形状のものとすることができる。
【００２９】
また、ロック片１２の基部に１本のヒンジ線１２ａを入れたものを例示したが、ロック片１２の中間部にもヒンジ線を入れ、ロック片１２をこれらの複数本のヒンジ線に沿って折り曲げ、折れ線状としたロック切込１４に差し込むようにしてもよい。
【００３０】
また、各一対の側板１及び端板２が四角筒状の周壁を形成するものを例示したが、側板１と端板２の稜部に面取り状の傾斜部分を有するようなものとしてもよい。
【００３１】
さらに、各一対の側板１及び端板２と底壁４とが一体となったものを例示したが、トレー状の下部構造体の上方に、上記のような取手係止構造を有する上部構造体を被せて、両構造体を固定するようにしてもよい。
【符号の説明】
【００３２】
１  側板
２  端板
３  継代片
４  底壁
５，６  底板
７  蓋板
７ａ  蓋重片
８  取手板
８ａ  握持片
９  係止板
１０  取手穴
１１  肩部
１２  ロック片
１２ａ  ヒンジ線
１３  スリット
１４  ロック切込
【図１】
2014118207.tif 000003
【図２】
2014118207.tif 000004
【図３】
2014118207.tif 000005
【図４】
2014118207.tif 000006
【図５】
2014118207.tif 000007
【図６】
2014118207.tif 000008
【図７】
2014118207.tif 000009